(57)【要約】【課題】  屋上などの緑化において厚さを薄くした構造の緑化ユニットにより軽量化を図る。【解決手段】  緑化ユニット１は、底盤２ａと、この底盤２ａの周囲より上方に突出した枠部材２ｂとから構成されたトレイ部材２と、底盤２ａと枠部材２ｂとによって囲まれた空間Ｒに収容された保水性を有する固化培土３と、固化培土３に載置又は埋め込まれた植物４とを備えている。枠部材２ｂの上部に開口部５を形成し、この空間Ｒのうち、トレイ部材２の底盤２ａから開口部５の下端５ａまでの範囲が保水領域Ｈをなしている。【選択図】      図１
2006197865.tif 000002
【特許請求の範囲】
【請求項１】
底盤と、前記底盤の周囲より上方に突出した枠部材とから構成されたトレイ部材と、
前記底盤と前記枠部材とによって囲まれた空間に収容された保水性を有する土壌と、
前記土壌に載置又は埋め込まれた植物と、
を備え、
前記枠部材の上部に開口部を形成し、
前記空間のうち、前記トレイ部材の前記底盤から前記開口部の下端までの範囲が保水領域をなしていることを特徴とする緑化ユニット。
【請求項２】
前記土壌は、前記トレイ部材の空間内に収容されると共に前記枠部材の上端に載置された固化培土であることを特徴とする請求項１に記載の緑化ユニット。
【請求項３】
前記トレイ部材は、発泡樹脂製の材料により形成されていることを特徴とする請求項１又は２に記載の緑化ユニット。
【請求項４】
前記土壌に水を供給するための灌水管が設けられていることを特徴とする請求項１乃至３のいずれかに記載の緑化ユニット。
【請求項５】
前記トレイ部材の下面に、水を通過させるための溝が形成されていることを特徴とする請求項１乃至４のいずれかに記載の緑化ユニット。
【請求項６】
前記トレイ部材の側面には、隣り合う前記トレイ部材を接合させるための連結部が設けられていることを特徴とする請求項１乃至５のいずれかに記載の緑化ユニット。
【発明の詳細な説明】
【技術分野】
【０００１】
本発明は、屋上などの緑化に使用される緑化ユニットに関する。
【背景技術】
【０００２】
従来、都市部におけるヒートアイランド現象の緩和や大気の浄化、アメニティ空間の創出などを目的に、建物や駐車場などの人工地盤の緑化が試みられている。
これらの場所における緑化方法として、簡易に設置することが可能なプランターを使用する方法がある。さらに、プランターの外枠を形成する材料には、軽量で取り扱いが容易な発泡樹脂を使用しているものがあり、例えば、以下に示す特許文献に提案されている。
特許文献１では、発泡樹脂製のプランター内の底部が、水を溜めることを可能とした保水用凹部と排水用の貫通孔とが形成された底壁をなしている。そして、この底壁上に土壌が設置され、この保水用凹部に保水されている水が土壌まで吸い上げられ、保水用凹部から溢れた水は貫通孔から排水することができる。
特許文献２は、発泡樹脂からなるパネルを組み合わせて形成された箱の底に、排水用の穴を設けた底板を敷き並べ、その上部に土壌を設けたプランターである。
【特許文献１】特開平８−３７９３６号公報
【特許文献２】特開２００１−３１４１２８号公報
【発明の開示】
【発明が解決しようとする課題】
【０００３】
しかしながら、特許文献１及び特許文献２で提案されているプランターでは、底部に保水部や排水部を設けるためのスペースが必要となる構造であるため、プランターの底部が厚くなっている。このため、プランターの外枠には軽量で取り扱いが容易な発泡樹脂を使用しているが、土壌を含むプランターの植栽基盤は、上述したようにプランターの底部に保水部及び排水部が設置される分の高さだけ大きくなり、これに伴って重量が増加するという問題がある。
とくに、前記植栽基盤の厚さを限定せざるを得ない場合や、建物の屋上などで積載荷重が規制される場合などでは、設置が困難になるという問題がある。
【０００４】
本発明は、上述する問題点に鑑みてなされたもので、屋上などの緑化において厚さを薄くした構造により軽量化を図るようにした緑化ユニットを提供することを目的とする。
【課題を解決するための手段】
【０００５】
上記目的を達成するため、本発明に係る緑化ユニットでは、底盤と、この底盤の周囲より上方に突出した枠部材とから構成されたトレイ部材と、底盤と枠部材とによって囲まれた空間に収容された土壌と、土壌に載置又は埋め込まれた植物とを備え、枠部材の上部に開口部を形成し、この空間のうち、トレイ部材の底盤から開口部の下端までの範囲が保水領域をなしていることを特徴としている。
本発明では、トレイ部材の底盤と枠部材とに囲まれた空間のうち、底盤から開口部の下端までの高さの範囲が保水領域となり、緑化ユニットに水を溜めることが可能な保水機能を有することができる。
また、この保水領域で保水されている水が、開口部の下端を超える量となる場合には、この開口部より水が外方に流出して排水することができる。
このような構成からなる緑化ユニットは、従来のようにプランターの底部に保水部や排水部を形成したり、設置することがなくなる。したがって、緑化ユニットの高さを抑えることで薄型化と軽量化を図ることができるため、重量制限のある建物の屋上などで適用範囲を広げることができる。
また、緑化ユニットが簡易な構成となることから、容易に設置することができる。
【０００６】
また、本発明に係る緑化ユニットでは、土壌は、トレイ部材の空間内に収容されると共に枠部材の上端に載置された固化培土であることが好ましい。
本発明では、固化培土の一部を枠部材の上端に載置させることで緑化ユニットを高さの低い薄型にできる。また、土壌を固化培土とすることにより、トレイ部材と、土壌と、植物との組み立てを簡略化することができる。
【０００７】
また、本発明に係る緑化ユニットでは、トレイ部材は、発泡樹脂製の材料により形成されていることが好ましい。
本発明では、トレイ部材を発泡樹脂製とすることで、加工が容易となり、また軽量であることから持ち運びが容易となる。さらに、トレイ部材自体が断熱機能を有し、建物の屋上などに緑化ユニットを設置することで、外断熱効果を得ることができる。これにより、建物の屋上に施される外断熱施工を省略することが可能となり、コストダウンを図ることができる。
【０００８】
また、本発明に係る緑化ユニットでは、土壌に水を供給するための灌水管が設けられていることが好ましい。
本発明では、雨水が少ない場合であっても、土壌や植物に水を供給することができ、植物を枯らすことなく緑化を維持することができる。
【０００９】
また、本発明に係る緑化ユニットでは、トレイ部材の下面に、水を通過させるための溝が形成されていることが好ましい。
本発明では、敷設した複数の緑化ユニットの下方を水が通過できるため、緑化ユニットが敷設される面で水が堰止められることがない。
【００１０】
また、本発明に係る緑化ユニットでは、トレイ部材の側面には、隣り合うトレイ部材を接合させるための連結部が設けられていることが好ましい。
本発明では、隣り合う緑化ユニットがトレイ部材の側面に備えられた連結部によって固定されるため、緑化ユニット同士のずれを防止できると共に、風などによる飛散を防ぐことができる。
【発明の効果】
【００１１】
本発明の緑化ユニットによれば、トレイ部材の底盤と枠部材とに囲まれた空間のうち、底盤から開口部の下端までの高さの範囲が保水領域となり、緑化ユニットに水を溜めることが可能となる。
また、この保水領域で保水されている水が開口部の下端を超える量となる場合には、この開口部より水が外方に流出できる。
このような構成からなる緑化ユニットは、従来のようにプランターの底部に保水部や排水部を形成したり、設置することがなくなる。このため、緑化ユニットの高さを抑えることで薄型化と軽量化を図ることができ、重量制限のある建物の屋上などで適用範囲を広げることができる。
さらに、緑化ユニットは、複数を組み合わせることにより様々な設置スペースに合わせて自由に配置して並べることができ、緑化ユニットを建物の屋上等に敷き並べることにより緑化効果を奏し、都市のヒートアイランド現象の抑制に寄与することができる。
【発明を実施するための最良の形態】
【００１２】
以下、本発明の実施の形態について、図１乃至及び図５に基づいて説明する。
図１は実施の形態による緑化ユニットの組み上がり状態を示す側面図、図２（ａ）は図１に示す緑化ユニットの平面図、図２（ｂ）は図２（ａ）に示すＡ−Ａ線断面図、図３は緑化ユニットの構成を示す分解側面図、図４は緑化ユニットの設置状態を示す図、図５は緑化ユニットの搬送台車を示す側面図である。
【００１３】
図１に示すように、本実施の形態による緑化ユニット１は、例えば建物の屋上などに敷設して屋上緑化するものである。
そして、図１及び図２に示すように、底盤２ａとこの底盤２ａの周部より上方に突出した枠部材２ｂとから形成されたトレイ部材２と、トレイ部材２の底盤２ａと枠部材２ｂとに囲まれた空間Ｒに収容されて形成された固化培土３（土壌）と、固化培土３の上面３ａに載せられ植物マットなどからなる植物４とから構成されている。
【００１４】
図２に示すように、トレイ部材２は、略正方形の盆形状をなし、発泡樹脂などの材料から形成されている。
図３（ｃ）は図２（ａ）に示すトレイ部材２の側面図であり、トレイ部材２の各辺をなす枠部材２ｂの略中央上部には、排水するために設けられた切欠き部をなす開口部５が形成されている。この開口部５は、上方が開放されていない穴形状であってもよい。
そして、このトレイ部材２の下面２ｃには、屋上などに設置されたトレイ部材２の下方を雨水などが通過可能なように溝２ｄが形成されている。
【００１５】
また、図３（ｂ）に示すように、固化培土３は、トレイ部材２の内側に形成された空間Ｒ内に収容される下層部３ｂと、下層部３ｂの上部で枠部材２ｂの上端２ｅに載置された上層部３ｃとから構成されている。そして、固化培土３の上層部３ｃがトレイ部材３の外形と同形状の略正方形状をなし、上面３ａが開口部５の下端５ａより上方に位置して設けられている。
なお、この固化培土３は、ロックウールや各種糊材で固化した培土、又は熱融着繊維で固化した培土などで、保水性を有する材質が好ましく、また排水効率を向上させるために通水性の高い材料とすることが好ましい。
【００１６】
さらに、図１に示すように、緑化ユニット１には、固化培土３に水を供給するための灌水管６が備えられ、例えば、灌水管６の端部（図示省略）が水源に接続され、緑化ユニット１内を通過する灌水管６の任意箇所で注水できるように設けられている。
そして、固化培土３には、この灌水管６を備えるための溝部３ｄが設けられている。なお、この灌水管６は、必要に応じて設置すればよい。
【００１７】
図３（ａ）に示すように、植物４は、トレイ部材２及び固化培土３と同形状の略正方形をなし、固化培土３に載せるだけで設置することができる。
なお、本実施の形態に示すように、植物４は、必ずしも芝生などのマット植物に限定されることはなく、例えば、ポット苗や、直接固化培土３に播種することによる植物４であっても構わない。このポット苗の場合には、固化培土３にポット苗が収まるように予め窪みを設けておけばよい。
【００１８】
図２（ａ）及び図３（ｃ）に示すように、トレイ部材２の底盤２ａと枠部材２ｂとに囲まれた空間Ｒのうち、底面２ｆから開口部５の下端５ａまでの高さＬの範囲が、保水領域Ｈとなる。この保水領域Ｈに雨水や灌水管６により注水された水を保水することができる。
そして、保水領域Ｈで保水されている水が開口部５の下端５ａを超える量となる場合には、開口部５からトレイ部材２の外方に流出して排水されることになる。
【００１９】
次に、緑化ユニット１の設置方法は、図１に示すように、予めトレイ部材２と、固化培土３と、植物４とを組み合わせてユニット化しておく。
続いて、図４（ａ）及び（ｂ）に示すように、屋上などの設置面を保護するために、例えば耐根シートなどの保護シート７を敷設し、その上面７ａに事前に組み合わされた緑化ユニット１を敷き並べる。
なお、緑化ユニット１の敷設枚数は、図４（ａ）に示すような８個に限定されず、必要に応じて適宜数設置すればよい。
また、複数敷き並べられた緑化ユニット１の周囲には、緑化ユニット１のずれ等を防止するために外周枠部材８を設けて固定する。
【００２０】
このように、緑化ユニット１は、設置前に予め組み合わせてユニット化しておくことができ、また、例えば緑化ユニット１の設置場所と異なる場所でユニット化して準備しておくことができる。このようなことから、設置箇所までの運搬や、設置が容易となる。一例として、図５に示すような専用の搬送台車９によって複数の緑化ユニット１を所定間隔で多段に積み込むことで同時に運搬することができ、施工の効率化を図ることができる。
【００２１】
上述した本実施の形態による緑化ユニット１では、トレイ部材２の底盤２ａと枠部材２ｂとに囲まれた空間Ｒのうち、底盤２ａから開口部５の下端５ａまでの高さの範囲が保水領域Ｈとなり、トレイ部材２に水を溜めることが可能な保水機能を有することができる。
また、この保水領域Ｈで保水されている水が開口部５の下端を超える量となる場合には、この開口部５より水が外方に流出して排水することができる。
このような構成からなる緑化ユニット１は、従来のように、プランターの底部に保水部を形成する必要がなく、またプランターの底部に排水口を設けて排水することがないため、緑化ユニット１の高さを抑えることができる。これにより、薄型化と軽量化を図ることができるため、重量制限のある建物の屋上などで適用範囲を広げることができる。
さらに、トレイ部材２は、発泡樹脂製であることから、底盤２ａが断熱機能を有し、建物の屋上に設置する場合には外断熱効果を得ることができる。これにより、屋上緑化の効果に加え、外断熱の施工を省略することが可能となり、コストダウンを図ることができる。
【００２２】
また、緑化ユニット１は、緑化設置場所への運搬が容易になり、事前に組み合わされた緑化ユニットを設置箇所に並べて置くだけの簡易な設置作業となることから、設置時間を短縮できる。
また、緑化ユニット１は、複数を組み合わせることにより、様々な設置スペースに合わせて自由に配置して並べることができ、緑化ユニット１を建物の屋上等に敷き並べることにより、緑化効果を奏し、都市のヒートアイランド現象の抑制に寄与することができる。
【００２３】
次に、実施の形態の変形例について、図６に基づいて説明するが、上述の実施の形態と同一又は同様な部材、部分には同一の符号を用いて説明を省略し、実施の形態と異なる構成について説明する。
図６は、変形例による緑化ユニットの設置状態を示す図である。
図６に示すように、緑化ユニット１には、隣り合うトレイ部材２が接合するようにトレイ部材２の第１側面２ｇ、２ｇに凸部１０ａ、１０ａ（連結部）が形成され、第２側面２ｈ、２ｈに凹部１０ｂ、１０ｂ（連結部）が形成されている。緑化ユニット１の設置時には、この凸部１０ａと凹部１０ｂとを係合させて固定する。
なお、緑化ユニット１に配置される凸部１０ａ及び凹部１０ｂの配置は、図６に示す本変形例に限定されず、ほかに、対向する側面に同形状の凸部１０ａ又は凹部１０ｂが配置されたもの、全ての側面が凸部１０ａであるもの、或いは全ての側面が凹部１０ｂであるものなど、必要に応じて適宜、凸部１０ａ又は凹部１０ｂが配置されていればよい。
また、本変形例では接合面の形状が凹凸になっているが、この形状に限定されることはなく、例えば鍵形状などの接続面であってもよい。要は、緑化ユニット１の各側面で隣接する緑化ユニット１と容易に連結できる形状であればよく、互いにずれることなく設置できればよいのである。
本変形例では、実施の形態と同様の効果に加え、上述したようにトレイ部材２同士を固定することにより、緑化ユニット１のずれを防止すると共に、緑化ユニット１の飛散等を防ぐことができる。
【００２４】
以上、本発明による緑化ユニットの実施の形態及び変形例について説明したが、本発明は上記の実施形態に限定されるものではなく、その趣旨を逸脱しない範囲で適宜変更可能である。
例えば、実施の形態及び変形例では緑化ユニット１の形状を略正方形としているが、この形状に限定されることはない。
また、実施の形態及び変形例では固化培土３の下層部３ｂが、トレイ部材２の内側に形成される空間Ｒに嵌合するように収容された形状となっているが、この形状に限定されることはなく、空間Ｒのうち保水領域Ｈ内に下層部３ｂの一部が収容されて、上層部３ｃが枠部材２ｂの上端２ｅに載置されていればよい。
さらに、実施の形態及び変形例にあるトレイ部材２の開口部５の位置や大きさについては、必ずしもこれに限定されることはない。要は、開口部５が枠部材２ｂの上部に設けられていて、保水領域Ｈに保水されている水が必要以上となった場合に、開口部５を超えて、緑化ユニット１の外方に流出することができればよいのである。
【図面の簡単な説明】
【００２５】
【図１】本発明の実施の形態による緑化ユニットの組み上がり状態を示す側面図である。
【図２】図２（ａ）は図１に示す緑化ユニットの平面図、図２（ｂ）は図２（ａ）に示すＡ−Ａ線断面図である。
【図３】（ａ）、（ｂ）、（ｃ）は、緑化ユニットの構成を示す分解側面図である。
【図４】（ａ）、（ｂ）は、緑化ユニットの設置状態を示す図である。
【図５】緑化ユニットの搬送台車を示す側面図である。
【図６】変形例による緑化ユニットの設置状態を示す図である。
【符号の説明】
【００２６】
１  緑化ユニット
２  トレイ部材
２ａ  底盤
２ｂ  枠部材
３  固化培土（土壌）
４  植物
５  開口部
６  灌水管
７  保護シート
１０ａ  凸部（連結部）
１０ｂ  凹部（連結部）
Ｒ  空間
Ｈ  保水領域
【図１】
2006197865.tif 000003
【図２】
2006197865.tif 000004
【図３】
2006197865.tif 000005
【図４】
2006197865.tif 000006
【図５】
2006197865.tif 000007
【図６】
2006197865.tif 000008